(57)【要約】【課題】  冷却のためのダクトを設けることなく、構造を簡略化してコストの低減と静音化を達成できる画像形成装置の冷却装置を提供する。【解決手段】  板金１６の平坦面１７と電源基板１５との間に空間が形成されており、空間の周囲を囲むＵ字状の遮蔽部材２２によって、ダクトが形成され、板金１６の平坦面１７の下部には本体１側に延びるように空気流出口となる筒状部１９が形成される。垂直方向に配置される板金１６の上部には、ダクト内に冷却風を送風するファンモータ２０が取付けられている。冷却風は電源基板１５を冷却するとともに、筒状部１９を介して本体１内の電源装置４を冷却する。【選択図】      図３
2006154462.tif 000002
【特許請求の範囲】
【請求項１】
画像形成装置の冷却装置であって、
本体と、本体に装着されかつ基板が取付けられる基板取付け部とを含み、
前記基板取付け部と前記基板との間に空間を設け、その空間を冷却用のダクトとして使用し、さらに
前記ダクトに冷却風を送風するための冷却手段を備える、画像形成装置の冷却装置。
【請求項２】
前記本体には発熱部分が内蔵されていて、前記ダクトに送風された冷却風により前記発熱部分が冷却される、請求項１に記載の画像形成装置の冷却装置。
【請求項３】
前記基板取付け部には前記冷却風が流出する流出口が形成されており、
前記本体の発熱部分の近傍には前記流出口から流出した冷却風が流入する流入口が形成されている、請求項２に記載の画像形成装置の冷却装置。
【請求項４】
さらに、前記基板取付け部と前記基板との間に設けられて前記ダクトの壁面を形成する遮蔽部材を含む、前記請求項１から３のいずれかに記載の画像形成装置の冷却装置。
【請求項５】
前記基板は、そのパターン面が対面するように前記基板取付け部に取付けられる、請求項１から４のいずれかに記載の画像形成装置の冷却装置。
【請求項６】
前記基板は、その部品取付け面が対面するように前記基板取付け部に取付けられる、請求項１から４のいずれかに記載の画像形成装置の冷却装置。
【発明の詳細な説明】
【技術分野】
【０００１】
この発明は画像形成装置の冷却装置に関し、特に、ファンモータによって送風して電源装置や電源基板などを冷却する筐体の構造に関する。
【背景技術】
【０００２】
複合機などの画像形成装置は、感光体上に静電潜像を形成し、トナーなどの現像剤で顕在化させた像を記録媒体上に転写させ、定着器などによって加熱定着させることで画像の形成を行う。また、画像を形成するための各装置に低圧電源や高圧電源を供給するために電源装置や、低圧電源基板や高圧電源基板が画像形成装置に内蔵されている。電源装置は電源を供給することで発熱し、各電源基板にはパワートランジスタやその他の発熱部品などが取付けられているため発熱する。これらの熱を装置の外部に排熱する機内冷却手段として、一般的にファンモータが用いられている。
【０００３】
最近の画像形成装置は、小型化が求められているばかりでなく、静音化を達成するために、ファンモータによる騒音の軽減化が要求されている。ファンモータによる騒音を低減するためには、回転数を減らすかファンモータの数そのものを減らす必要があるが、いずれにしても冷却効率が低下してしまう。
【０００４】
特開２００４−９３７０８号公報（特許文献１）には、ファンモータによる空気の流入経路にエンジン基板や高圧電源基板や低圧電源基板を配置して冷却効率を高めた画像形成装置について記載されている。
【０００５】
また、効率的に空気を送風するために、図６に示すように、ダクトを設置することも考えられている。図６は、画像形成装置を側面から見た状態を示しており、本体１の前面側にユーザが操作する操作部２が設けられており、上部に原稿の画像を読取るための読取部３が設けられている。本体１には発熱源である電源装置４が内蔵されている。
【０００６】
本体１の背面側には制御部５が設けられている。ここでは制御部５を一点鎖線で示し、内部を概略の断面図で示している。制御部５内には板金６が設けられており、この板金６に電源基板８が取付けられている。板金６にはダクト７が形成されていて、このダクト７の先端は本体１の電源装置４の近傍まで延びている。電源基板８よりもさらに背面側上部にはファンモータ９が取付けられていて、ファンモータ９からの冷却風が電源基板８に吹付けられるとともに、ダクト７を介して電源装置４に送り込まれる。これにより電源装置４に専用にファンモータを取付ける必要がなくなり、電源基板８の冷却と電源装置４の冷却を１台のファンモータ９で行うことにより、静音化を図ることができる。
【特許文献１】特開２００４−９３７０８号公報（段落番号００６９〜００７２、図１０）
【発明の開示】
【発明が解決しようとする課題】
【０００７】
図６に示した例では、ダクト７の形状が複雑になってしまい、ダクト７を設置するために、板金６の製造コストが高くなってしまうばかりでなく、機内寸法の制約などが生じる問題がある。
【０００８】
そこで、この発明は、冷却のためのダクトを別個設けることなく、構造を簡略化してコストの低減と静音化を達成できる画像形成装置の冷却装置を提供することである。
【課題を解決するための手段】
【０００９】
この発明は、画像形成装置の冷却装置であって、本体と、本体に装着されかつ基板が取付けられる基板取付け部とを含み、基板取付け部と基板との間に空間を設け、その空間を冷却用のダクトとして使用し、ダクトに冷却風を送風するための冷却手段を備える。
【００１０】
好ましくは、本体には発熱部分が内蔵されていて、ダクトに送風された冷却風により発熱部分が冷却される。
【００１１】
具体的には、基板取付け部に冷却風が流出する流出口が形成されており、本体の発熱部分の近傍には流出口から流出した冷却風が流入する流入口が形成されている。
【００１２】
さらに、基板取付け部と基板との間に設けられてダクトの壁面を形成する遮蔽部材を含む。
【００１３】
好ましい一実施形態では、基板のパターン面が対面するように基板取付け部に取付けられるが、他の実施形態では、基板は、その部品取付け面が対面するように基板取付け部に取付けられる。
【発明の効果】
【００１４】
この発明では、基板取付け部と基板との間に空間を設け、その空間を冷却用のダクトとして使用し、１台の送風手段でダクトに冷却風を送風するようにしたので、ダクトを介して他の発熱部分を冷却することも可能になる。これにより、送風手段の数を少なくできるので静音化を図ることができる。しかも、基板と基板取付け部とで空気を送風するダクトを構成できるので、構造が複雑化することなく、コストを低減できる。
【発明を実施するための最良の形態】
【００１５】
図１はこの発明が適用される画像形成装置の一例を示す側面図であり、図２は制御部に配置されている基板の配置図であり、図１に示す矢印Ａ方向から見たものであり、図３は図２の線ＩＩＩ−ＩＩＩに沿う断面図であり、図４は図１の矢印Ａ方向から見た本体１の背面側を示す図である。
【００１６】
図１において、画像形成装置１０は、前述の図６と同様にして、本体１と、操作部２と、読取部３とを含み、発熱部分である電源装置４を内蔵している。本体１の側面には給紙カセット１１が各用紙サイズにしたがって複数配置されていて、側面から見てその奥側に電源装置４が配置されている。
【００１７】
本体１の背面側には基板取付け部としての制御部１２が設けられており、制御部１２には、図２に示すようにプリンタ基板１３と、プリンタエンジンを制御するエンジン制御基板１４と、電源基板１５とが本体１の背面に対面するように垂直方向に配列されている。電源基板１５は、パターン面が板金１６の平坦面１７に対面するように取付けられており、板金１６を介して制御部１２に取付けられている。
【００１８】
板金１６は、電源基板１５を所定の間隔ｔを有して対面して取付けたときに電源基板１５との間に空間を形成している。すなわち、板金１６には、図３に示すように、逆Ｌ字状の平坦面１７の下方を除いて周囲を囲むように側壁１８が形成されており、板金１６の平坦面１７の下部には本体１側に延びるように空気流出口となる筒状部１９が形成されている。空気流出口は単なる穴であってもよい。板金１６の平坦面１７には支持部材２１が複数配置されており、この複数の支持部材２１により電源基板１５が板金１６の平坦面１７に取付けられる。
【００１９】
電源基板１５と板金１６の平坦面１７との間の空間の上部を除いて閉塞するために、Ｕ字状に形成された遮蔽部材２２が設けられている。これにより板金１６の平坦面１７と制御基板１５との間の空間がダクトを形成する。垂直方向に配置される板金１６の上部にはファンモータ２０が取付けられている。なお、ファンモータ２０は、電源基板１５に穴を形成してそこに取付けてもよい。
【００２０】
本体１の背面２３には、図４に示すように、電源装置４の近傍に流入口としての穴２４が形成されている。穴２４には図３に示した筒状部１９が挿入される。このように構成された画像形成装置１０において、ファンモータ２０は外部からの空気を制御部１２に送り込み、制御部１２内のプリンタ基板１３と、エンジン制御基板１４と、電源基板１５とに搭載されている電子部品などを冷却する。さらに、制御部１２内に送り込まれた空気は、電源基板１５と板金１６の平坦面１７と側壁１８とで囲まれた空間を介して筒状部１９から穴２４に送り込まれて電源装置４が冷却される。
【００２１】
したがって、この実施形態によれば、電源基板１５と板金１６の平坦部１７で囲まれた空間をダクトして機能させることができるので、冷却空気を送風するための専用のダクトを設ける必要がなく、１つのファンモータ２０によって制御部１２内のプリンタ基板１３と、エンジン制御基板１４と、電源基板１５とを冷却できるとともに、本体１内の電源装置４も冷却できる。これにより筐体の構造を簡略化でき、制御部１２と電源装置４とを別個のファンモータによって冷却する必要もないので、ファンモータの数を減らすことができ、静音化を達成できる。
【００２２】
図５はこの発明の他の実施形態を示す断面図である。この実施形態は、電源基板１５の部品取付面が板金１６の平坦面１７に対面するように配置したものであり、それ以外は図３と同じである。
【００２３】
この実施形態では、ダクト内に電源基板１５の電子部品が配置されるので、これらの電子部品の冷却効果を高めることができる。
【００２４】
なお、図３および図５において、遮蔽部材２２として、ノイズ対策部品を使用すれば、対ノイズ性能を向上させながら空気の流入経路を確保できる。
【００２５】
また、上述の実施形態では、板金１６の平坦部１７に空気流出のための筒状部１９を取付けたが、これに限ることなく、遮蔽部材２２を設けず、下側の開口部を空気流出口とし、この空気流出口付近に発熱源を取付けるようにしてもよい。
【００２６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２７】
【図１】この発明が適用される画像形成装置の一例を示す側面図である。
【図２】制御部に配置されている基板の配置図である。
【図３】制御部の電源基板の配置を示す断面図である。
【図４】本体の背面側を示す図である。
【図５】この発明の他の実施形態を示す断面図である。
【図６】従来の画像形成装置の側面図である。
【符号の説明】
【００２８】
１  本体、２  操作部、３  読取部、４  電源装置、１０  画像形成装置、１２  制御部、１３  プリンタ基板、１４  エンジン制御基板、１５  電源基板、１６  板金、１７  平坦面、１８  側壁、１９  筒状部、２０  ファンモータ、２１  支持部材、２２  遮蔽部材、２３  背面、２４  穴。
【図１】
2006154462.tif 000003
【図２】
2006154462.tif 000004
【図３】
2006154462.tif 000005
【図４】
2006154462.tif 000006
【図５】
2006154462.tif 000007
【図６】
2006154462.tif 000008